(57)【要約】【課題】トイレの利用者の身体的負担を低減でき、構造がシンプルでコストがかからず、トイレへの設置スペースの効率がよく、男子の小用の際でも、尿の飛散を抑え掃除が容易な便器昇降装置を提供する。【解決手段】トイレ１２の床下に昇降シリンダ装置１８を備える。昇降シリンダ装置１８は、シリンダ５０の一方の端部近傍側面から内部に連通した送還水口６６と、シリンダ５０内を摺動可能に設けられたピストン６８と、ピストン６８の中央に一端部が連結されたシャフト７２と、シャフト７２の他端部が固定された台座取り付け板７４から成る。台座取り付け板７４は、便座１４を取り付ける台座２６を備える。昇降シリンダ装置１８の送還水口６６には、給水切換を行う三方弁７６を備えた水道管７８が接続され、三方弁７６の切換により、ピストン６８を上昇及び停止可能とする。【選択図】図１
0003118665.tif 000002
【実用新案登録請求の範囲】
【請求項１】
トイレの床下に立設された昇降シリンダ装置と、前記昇降シリンダ装置のピストンに連動する台座取り付け部材と、この台座取り付け部材に載置され便座を取り付ける台座と、前記昇降シリンダ装置に接続された水道水の配管の給水切換を行う弁とを備え、前記弁の切換により、前記ピストンを上昇及び停止可能に形成したことを特徴とする便器昇降装置。
【請求項２】
前記昇降シリンダ装置は、シリンダの一方の端部近傍側面から内部に連通し前記水道水の配管が接続される送還水口と、前記シリンダ内を摺動可能に設けられたピストンと、前記ピストン中央に一端部が連結されたシャフトと、前記シャフトの他端部が固定された前記台座取り付け部材とを備え、前記弁は、前記シリンダ内の水を洗浄水用のタンク内に環水可能とすることを特徴とする請求項１記載の便器昇降装置。
【請求項３】
前記昇降シリンダ装置のシリンダ内の端部には、衝撃緩和用のコイルバネが取り付けられていることを特徴とする請求項２記載の便器昇降装置。
【考案の詳細な説明】
【技術分野】
【０００１】
この考案は、便器を昇降可能に支持した便器昇降装置に関する。
【背景技術】
【０００２】
一般に、比較的負担の少ない洋式便器のトイレであっても、高齢者や身体の不自由な人にとっては、便座に座ったり立ち上がったりする動作に支障を来す場合があった。また、洋式便器では、男子が小用を足す際に便器の周りに尿が飛散する場合があり、掃除が大変な上、衛生的にも良くないものであった。
【０００３】
このため、高齢者や身体の不自由な方のトイレでの負担を低減する装置として、昇降機構を有する便器が知られている。この便器では、便器への着座や起立動作に際して、利用者の座りやすい高さまたは立ち上がりやすい高さまで上昇するため、身体の姿勢変化を抑えて容易に動作可能なものであった。また、男子が小用を足す場合でも、利用しやすい高さに上昇させることができるため、便器の周りへの尿の飛散を抑えることができるものであった。
【０００４】
このような便器を昇降させる機構を有する便器として、様々な方法が提案されている。例えば、特許文献１では、昇降フレーム材及び昇降体と一体に形成され昇降可能な便器が開示されている。また、上昇位置で便器が傾斜する傾斜機構が組み込まれている。特許文献２では、便器の両側に伸縮自在な脚を設け、便器の中央近傍と床の間に油圧ジャッキを取り付けて昇降可能に形成された便器が開示されている。特許文献３では、昇降動作をガイドするガイドレールの上部に湾曲部が設けられ、上部で傾斜するようにした昇降可能な便器が開示されている。
【０００５】
そのほか、便器を固定して、便座のみを昇降させる方法も知られている。特許文献４では、水道水を圧力源に利用して、便座を昇降させる装置が提案されている。
【特許文献１】特開平１１−７１８０４号公報
【特許文献２】特開２００３−２９３４３５号公報
【特許文献３】特開２００５−２７３２７７号公報
【特許文献４】特開２００３−３０４９８５号公報
【考案の開示】
【考案が解決しようとする課題】
【０００６】
上記従来の便器昇降装置は、便器背面に昇降レールを設け、そのレールを狭持可能に一体に形成された便器が昇降可能に形成されたものであった。そのため、トイレに複雑な構造物を設置することとなり、スペース効率がよくないうえ、清掃作業が難しく面倒であった。また、特許文献１は、便器後方に設けられた昇降レールなどに、利用者の衣服が絡まる危険が残るものであった。特許文献２では、昇降レールなどがないため、利用者の衣服が絡まる危険がないが、伸縮自在な脚を取付可能な、専用の便器が必要になり、コストがかかるものであった。また、特許文献３は、昇降装置をカバーで覆い利用者の衣服の絡まりを防止するほか、清掃作業の負荷低減が計られている。しかし、昇降装置が便器後方に設けられているため、トイレのスペース効率がよくなく、装置が複雑なためコストのかかるものであった。さらに、特許文献４のように、便座のみを昇降させる装置では、利用者を着座状態で昇降させるため、便器を昇降させる装置と同様に、構造が複雑な上、利用者を支持する高い剛性が必要なであり、便器周囲に設けられた装置は、スペース効率がよくないものであった。また、男子が小用を足す場合の、尿の飛散防止効果がないものであった。
【０００７】
この考案は、上記従来の技術に鑑みて成されたもので、トイレの利用者の身体的負担を低減でき、構造がシンプルでコストがかからず、トイレへの設置スペースの効率がよく、男子の小用の際でも、尿の飛散を抑え掃除が容易な便器昇降装置を提供することを目的とする。
【課題を解決するための手段】
【０００８】
この考案は、トイレの床下に立設された昇降シリンダ装置と、前記昇降シリンダ装置のピストンに連動する台座取り付け部材と、この台座取り付け部材に載置され便座を取り付ける台座と、前記昇降シリンダ装置に接続された水道管等の配管の給水切換を行う弁とを備え、前記弁の切換により、前記ピストンを上昇及び停止可能に形成した便器昇降装置である。
【０００９】
前記昇降シリンダ装置は、シリンダの一方の端部近傍側面から内部に連通し前記水道水の配管が接続される送還水口と、前記シリンダ内を摺動可能に設けられたピストンと、前記ピストン中央に一端部が連結されたシャフトと、前記シャフトの他端部が固定された前記台座取り付け部材とを備え、前記弁は、前記シリンダ内の水を洗浄水用のタンク内に環水可能とするものである。
【００１０】
さらに、前記昇降シリンダ装置のシリンダ内の端部には、衝撃緩和用のコイルバネが取り付けられている。
【考案の効果】
【００１１】
この考案の便器昇降装置によれば、利用者の着座及び立ち上がり易い高さに昇降可能であるため、トイレの利用者の身体的負担を低減できるものである。そして、便器の直下に便器昇降装置が設置されるためスペース効率がよく、水道水の圧力により昇降するため、装置が簡単でありコストも低減されるものである。また、男子の小用の際でも、便器を上昇させることにより、尿の飛散が抑えられ衛生的であり、便器周辺の床に機器が配置されないため、掃除が容易なものである。
【考案を実施するための最良の形態】
【００１２】
以下、この考案の便器昇降装置の一実施形態について、図１〜図３に基づいて説明する。この実施形態の便器昇降装置１０は、図１（ａ）（ｂ）に示すように、トイレ１２の便座１４が位置する建物の床下施工面１６に、図示しないボルトなどで昇降シリンダ装置１８が立設されている。さらに、昇降シリンダ装置１８を中心とした対角線上の等間隔な位置には、柱状のガイドポール２０が立設されている。ガイドポール２０の上方端部の内側には、便座１４を支持する台座支持部２４が位置し、台座支持部２４の四隅の角には、コイルバネ２２が溶接されている。コイルバネ２２は、ガイドポール２０に嵌合し、それぞれ急速降下防止のためガイドポール２０に摺動可能に嵌合されている。台座支持部２４は、昇降シリンダ装置１８の後述する台座取り付け板７４載置されている。
【００１３】
台座支持部２４には、便器１４と一体に形成され直方体の台座２６が載置されている。トイレ１２の床２８には、台座２６が昇降可能に、貫通した昇降用開口部３０が形成されている。この昇降用開口部３０は、床２８の構造材３２の一部が、側方を囲むように位置し、構造材３２の上には図１に示すように、スペーサ部材３４が取り付けられている。そして、スペーサ部材３４の上には、床材３６が張られて、開口３８が床材３６に形成されている。開口３８全周と床材３６の縁には、樹脂などからなる化粧枠４０が取り付けられている。そして、昇降シリンダ装置１８に載置された台座支持部２４は、昇降シリンダ装置１８の台座取り付け板７４の最降下位置で、台座２６上面が床２８と面一になるように形成されている。
【００１４】
台座２６の上部に一体的に設けられた便器１４には、排便管４２が接続され、排便管４２は、フレキシブル管により伸縮可能に形成され、床下２８ａに設けられた図示しない下水管に、台座２６を通って接続されている。さらに、便器１４に設けられた洗浄水用のタンク４４には、フレキシブル管により伸縮可能に形成されたタンク給水管４６が接続されている。このタンク給水管４６の一方は、壁４８などに設けられた図示しない給水管に接続されている。
【００１５】
次に、昇降シリンダ装置１８について説明する。この実施形態の便器昇降装置１０に使用される昇降シリンダ装置１８は、図２に示すように、筒状に形成されたシリンダ５０の両端部に適宜な幅の広がりを有するフランジ部５２が一体に設けられ、そのフランジ部５２に、円盤状の穴無しフランジ５４ａ及び穴空きフランジ５４ｂがそれぞれボルト５６により取り付けられている。
【００１６】
底面側の穴無しフランジ５４ａは、中心に貫通穴の無い平板状に形成され、シリンダ５０内側の面には、シリンダ５０内径より小さい降下衝撃緩和用のコイルバネ５８が取り付けられ、シリンダ５０内に位置している。上方の穴空きフランジ５４ｂは、中心に貫通穴６０が形成され、シリンダ５０内側の面に、適度な幅を有する上昇上限リング６２が、貫通穴６０と同心状に取り付けられ、その内側には、水撃防止及び押し下げ補助用のコイルバネ６４が同心状に取り付けられている。また、シリンダ５０の下端部近傍側面には、シリンダ５０内部へ嵌挿され、水道管などを接続可能に形成された管状の送還水口６６が設けられている。
【００１７】
このシリンダ５２内部には、例えばステンレスなどの板材から円形に形成されたピストン６８が、摺動可能に内設されている。ピストン６８の外周には、断面が円形のＯリングであるシール材７０が嵌合され、シリンダ内壁５０ａに密着して、ピストン６８がシリンダ５２内を水密状態を維持して摺動可能に形成されている。そして、このピストン６８の中心に、ステンレスなどから形成された棒状のシャフト７２の一端部が嵌挿され、一体に形成されている。シャフト７２の他端部７２ａは、穴空きフランジ５２ｂの貫通穴６０を貫通して、矩形の板材からなる台座取り付け板７４に固定されている。シャフト７２は、台座取り付け板７４の板面に対して、直角に取り付けられている。
【００１８】
次に、この実施形態の便器昇降装置１０の使用方法について説明する。図３に示すように、便器昇降装置１０の送還水口６６に接続された水道管７８には、止水栓及び図示しないストレーナ、定圧弁などを経て三方弁７６が取り付けられており、送水、停止及び還水を任意に切り替え可能に形成されている。三方弁７６の一方は、昇降シリンダ装置１８の送還水口６６に接続され、他方は、手洗い水またはタンク給水管４６を経て直接タンク４４へ送水可能に接続されている。
【００１９】
まず、トイレ１２の利用者は、使用後、立ち上がりやすい高さまで便器１４を上昇させるため、水道管に接続された三方弁７８を送水位置に合わせる。すると、昇降シリンダ装置１８の送還水口６６に接続された水道管から水道水が送水され、昇降シリンダ装置１８のシリンダ５０内部へ送水されて、水道水の水圧でピストン６８が上昇する。これにより、台座取り付け板７４に台座２６を介して載置された便器１４が、上昇を始める。程よい高さに達したなら、三方弁７６を停止位置に合わせて昇降シリンダ装置１８を停止させ、立ち上がる。この後、三方弁７６を還水位置に合わせて、昇降シリンダ装置１８から排出された水道水を、タンク給水管４６を経てタンク４４に送水する。環水時は、便器１４等の自重で、シリンダ５０内の水がタンク４４へ送られ、台座２６の上面と床２８が面一になるまで、便器１４が降下し停止する。
【００２０】
また、男子の小用の場合は、利用しやすい高さで送水を止めて、使用する。用を終えたなら、還水位置に合わせて、便器１４の台座２６の上面高さと床２８が面一になるまで、降下させておく。
【００２１】
この実施形態の便器昇降装置１０によれば、利用者の着座及び立ち上がり易い高さに昇降可能であるため、トイレ１２の利用者の身体的負担を低減できるものである。そして、便器１４の直下に昇降シリンダ装置１８が設置されるためスペース効率がよく、昇降シリンダ装置１８は、水道水の圧力を利用するためコストもかからないものである。また、男子の小用の際でも、便器１４を上昇させて利用できるため、床２８への尿の飛散が少なくなり衛生的に利用されるものである。さらに、便器１４周辺の床に機器が配置されないため、掃除が容易であり、清潔な状態を容易に維持できるものである。また、急速降下防止用のコイルバネ２２がガイドポール２０に嵌合しているので、便器１４の降下の際は、コイルバネ２２がガイドポール２０の側面を摺動し、急激な降下に対して抵抗となり安全なものである。
【００２２】
なお、この考案の便器昇降装置は上記実施形態に限定されるものではなく、水道水の供給切換は三方弁の手動切換の他、電磁弁によりスイッチ操作で切換可能としても良い。また、使用する便器の大きさに合わせて、適宜なサイズの昇降シリンダ装置を選択可能なものである。また、各素材は、適宜選択可能なものである。
【図面の簡単な説明】
【００２３】
【図１】この考案の一実施形態の便器昇降装置の施工状態を示す右側面図（ａ）と、正面図（ｂ）である。
【図２】この実施形態の便器昇降装置の昇降シリンダ装置を示す部分断面図である。
【図３】この実施形態の便器昇降装置の配管を示す管路図である。
【符号の説明】
【００２４】
１０  便器昇降装置
１２  トイレ
１４  便器
１６  床下施工面
１８  昇降シリンダ装置
２０  ガイドポール
２２，５８，６４  コイルバネ
２４  台座支持部
２６  台座
５０  シリンダ
６６  送還水口
６８  ピストン
７２  シャフト
７４  台座取り付け板
７６  三方弁
７８  水道管
【図１】
0003118665.tif 000003
【図２】
0003118665.tif 000004
【図３】
0003118665.tif 000005